(57)【要約】      （修正有）【課題】携帯し易く、内部の化粧品を一目で視認できる透明窓を備えた化粧品用容器を提供する。【解決手段】ベース１０と、該ベースに設置されるカバー部材２１と、該カバー部材とベースとの間に形成される収容部と、カバー部材に形成される側面開口２３と、カバー部材に設置され、透明窓を有する前カバー２０と、収容部に位置し、透明窓２２から少なくとも１つの凹入部３１が露出する横方向摺動部材３０と、ベースの側面に設置され、ベースに対して縦方向に沿って移動可能な縦方向摺動蓋４０と、縦方向摺動蓋と連動し、横方向摺動部材を移動できるように、ベースに移動可能に設置される連動部材５０とを有し、連動部材の両側が、夫々横方向摺動部材及び縦方向摺動蓋に取り付けられている。【選択図】図１
0003169133.tif 000002
【実用新案登録請求の範囲】
【請求項１】
ベースと、
前記ベースに設置されるカバー部材と、該カバー部材とベースとの間に形成される収容部と、該カバー部材に形成される側面開口と、該カバー部材に設置される透明窓とを有する前カバーと、
前記収容部に位置し、横方向に沿って、前記側面開口から突出するまで移動できると共に、前記透明窓の近傍に設置され、該透明窓から少なくとも１つの凹入部が露出する横方向摺動部材と、
前記横方向摺動部材と反対のベースの側面に設置され、該ベースに対して縦方向に沿って移動可能な縦方向摺動蓋と、
前記縦方向摺動蓋と連動し、横方向摺動部材を移動させることができるように、前記ベースに移動可能に設置される連動部材とを有し、該連動部材の両側が、夫々前記横方向摺動部材及び縦方向摺動蓋に取り付けられることを特徴とする透明窓を備えた化粧品用容器。
【請求項２】
前記カバー部材に装着口が穿設され、該装着口の内周縁の近傍に複数の第一組立部が設けられ、前記透明窓の外周縁に該第一組立部と対応する複数の第二組立部が設けられることを特徴とする請求項１に記載の透明窓を備えた化粧品用容器。
【請求項３】
前記ベースに、第一端及び第二端を有する傾斜溝が穿設され、
前記横方向摺動部材に、前記第一端の近傍に位置する縦溝が凹設され、
前記縦方向摺動蓋に、前記第一端の近傍に位置する横溝が設けられ、
前記連動部材は、前記縦方向摺動蓋の横溝に嵌め込まれる第一ガイド部と、前記横方向摺動部材の縦溝に嵌め込まれる第二ガイド部とを有することを特徴とする請求項１又は請求項２に記載の透明窓を備えた化粧品用容器。
【請求項４】
前記ベースの近傍における、前記縦方向摺動蓋の側面に、平行に並列される２つの突出リブが設けられ、
前記横溝は、該２つの突出リブの間に設けられ、
前記２つの突出リブの中の１つの突出リブの両側に、夫々該横溝の内側に位置する阻止部が設けられることを特徴とする請求項３に記載の透明窓を備えた化粧品用容器。
【請求項５】
前記ベースの近傍における、前記縦方向摺動蓋の側面上半部に、鏡配置部が設けられることを特徴とする請求項４に記載の透明窓を備えた化粧品用容器。
【請求項６】
前記縦方向摺動蓋の両側に縦ガイド溝が形成され、
前記ベースの両側に、該縦ガイド溝に嵌め込まれる縦ガイドブロックが設けられることを特徴とする請求項５に記載の透明窓を備えた化粧品用容器。
【請求項７】
前記横方向摺動部材の近傍における、前記ベースの側面に横ガイド溝が形成され、
前記横方向摺動部材に、該横ガイド溝に嵌め込まれる横ガイドブロックが設けられることを特徴とする請求項６に記載の透明窓を備えた化粧品用容器。
【請求項８】
前記ベースに係止部が設けられ、
前記カバー部材に、該係止部に係合される係合部が設けられることを特徴とする請求項７に記載の透明窓を備えた化粧品用容器。
【考案の詳細な説明】
【技術分野】
【０００１】
本考案は、特に持ち運び易く、内部の化粧品が一目で確認できる透明窓を備えた化粧品用容器に関するものである。
【背景技術】
【０００２】
女性は一般に、美顔を追求し続けるために様々な化粧品を使用している。一般に用いられる化粧品としては、下地系や、着色系などに分類することができる。その内、下地系の化粧品は例えば、ファンデーション、ファンデーションケーキ、フェースパウダー、コンシーラーなどを含み、着色系の化粧品は例えば、黛、アイシャドー、頬紅、口紅などを含む。また、前記化粧品は通常、ベースと、蓋とを有する従来の化粧品用容器に収容されている。ベースには、化粧品を収容するための収容溝が形成されると共に、該ベースの外周縁に凹入部が形成されている。蓋は、前記ベースを封止できるように該ベースの一部に枢設されていて、該ベ―スの凹入部に係止可能な係止部を有する。
【０００３】
前記した従来の化粧品用容器を使用する時は、蓋を開けて収容溝に収容されている化粧品を使用する。また、化粧する時の利便性を図るために、一般に蓋の裏側に鏡が取り付けられているとともに、蓋の外側には種々の図案等が描かれている。
【０００４】
また、化粧品の使用者は通常、化粧、メイク直しをし易くするために、従来の化粧品用容器をバッグなどに入れておき、化粧したい時に何時でもバッグから取り出せるようにしている。
【考案の概要】
【考案が解決しようとする課題】
【０００５】
しかしながら、前記した従来の化粧品用容器の蓋は、鏡が設置され、または不透明な材料で形成されているので、使用者が即座に化粧品の種類や色を確認することができない。従来の化粧品用容器に収容される化粧品を使用するためには、先ず蓋を開けて、化粧品の種類や色を確認しなくてはならない。また、従来の化粧品用容器のような蓋とベースとよりなる構成は、片手で開閉できるものではないので、非常に不便であった。
【０００６】
上述したように従来の化粧品用容器は、化粧品を確認する時間や化粧時間を短縮することができなかった。
【０００７】
そこで、考案されたのが本考案であって、本考案は前記した従来の化粧品用容器の欠点を改善すべく、持ち運びし易く、しかも内部の化粧品が一目瞭然である透明窓を備えた化粧品用容器を提供することを目的としている。
【課題を解決するための手段】
【０００８】
本願の請求項１の考案は、ベースと、
前記ベースに設置されるカバー部材と、該カバー部材とベースとの間に形成される収容部と、該カバー部材に形成される側面開口と、該カバー部材に設置される透明窓とを有する前カバーと、
前記収容部に位置し、横方向に沿って、前記側面開口から突出するまで移動できると共に、前記透明窓の近傍に設置され、該透明窓から少なくとも１つの凹入部が露出する横方向摺動部材と、
前記横方向摺動部材と反対のベースの側面に設置され、該ベースに対して縦方向に沿って移動可能な縦方向摺動蓋と、
前記縦方向摺動蓋と連動し、横方向摺動部材を移動させることができるように、前記ベースに移動可能に設置される連動部材とを有し、該連動部材の両側が、夫々前記横方向摺動部材及び縦方向摺動蓋に取り付けられることを特徴とする透明窓を備えた化粧品用容器、を提供する。
【０００９】
本願の請求項２の考案は、前記カバー部材に装着口が穿設され、該装着口の内周縁の近傍に複数の第一組立部が設けられ、前記透明窓の外周縁に該第一組立部と対応する複数の第二組立部が設けられることを特徴とする請求項１に記載の透明窓を備えた化粧品用容器、を提供する。
【００１０】
本願の請求項３の考案は、前記ベースに、第一端及び第二端を有する傾斜溝が穿設され、
前記横方向摺動部材に、前記第一端の近傍に位置する縦溝が凹設され、
前記縦方向摺動蓋に、前記第一端の近傍に位置する横溝が設けられ、
前記連動部材は、前記縦方向摺動蓋の横溝に嵌め込まれる第一ガイド部と、前記横方向摺動部材の縦溝に嵌め込まれる第二ガイド部とを有することを特徴とする請求項１又は請求項２に記載の透明窓を備えた化粧品用容器、を提供する。
【００１１】
本願の請求項４の考案は、前記ベースの近傍における、前記縦方向摺動蓋の側面に、平行に並列される２つの突出リブが設けられ、
前記横溝は、該２つの突出リブの間に設けられ、
前記２つの突出リブの中の１つの突出リブの両側に、夫々該横溝の内側に位置する阻止部が設けられることを特徴とする請求項３に記載の透明窓を備えた化粧品用容器、を提供する。
【００１２】
本願の請求項５の考案は、前記ベースの近傍における、前記縦方向摺動蓋の側面上半部に、鏡配置部が設けられることを特徴とする請求項４に記載の透明窓を備えた化粧品用容器、を提供する。
【００１３】
本願の請求項６の考案は、前記縦方向摺動蓋の両側に縦ガイド溝が形成され、
前記ベースの両側に、該縦ガイド溝に嵌め込まれる縦ガイドブロックが設けられることを特徴とする請求項５に記載の透明窓を備えた化粧品用容器、を提供する。
【００１４】
本願の請求項７の考案は、前記横方向摺動部材の近傍における、前記ベースの側面に横ガイド溝が形成され、
前記横方向摺動部材に、該横ガイド溝に嵌め込まれる横ガイドブロックが設けられることを特徴とする請求項６に記載の透明窓を備えた化粧品用容器、を提供する。
【００１５】
本願の請求項８の考案は、前記ベースに係止部が設けられ、
前記カバー部材に、該係止部に係合される係合部が設けられることを特徴とする請求項７に記載の透明窓を備えた化粧品用容器、を提供する。
【考案の効果】
【００１６】
本考案は上記の課題を解決するものであり、化粧品用容器を開けなくても、透明窓から横方向摺動部材の凹入部に収容される化粧品の種類や色を瞬時に確認できるので、素早く化粧を行うことができる。
【００１７】
また、本考案に係る透明窓を備えた化粧品用容器は、片手で操作できる構成であり、前記前カバーを下方へ摺動させて、前記連動部材により横方向摺動部材を該前カバーの側面開口から突出させれば、該横方向摺動部材に収容される化粧品を使用することができるので、化粧時の利便性を高めることができる。
【図面の簡単な説明】
【００１８】
【図１】本考案に係る透明窓を備えた化粧品用容器の分解斜視図である。
【図２】本考案に係る透明窓を備えた化粧品用容器の斜視図である。
【図３】本考案に係る透明窓を備えた化粧品用容器の正面図である。
【図４】本考案に係る透明窓を備えた化粧品用容器の使用状態を示す正面図である。
【図５】本考案に係る透明窓を備えた化粧品用容器の引込状態を示す正面図である。
【図６】本考案に係る透明窓を備えた化粧品用容器の展開状態を示す正面図である。
【考案を実施するための形態】
【００１９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２０】
図１及び図２に示すように、本考案に係る透明窓を備えた化粧品用容器は、ベース１０と、前カバー２０と、横方向摺動部材３０と、縦方向摺動蓋４０と、連動部材５０とを有する。
【００２１】
前記ベース１０に、第一端１２及び第二端１３を有する傾斜溝１１が穿設されると共に、該ベース１０の下端両側近傍にそれぞれ係止部１６が設けられ、更に、該ベース１０の両側にそれぞれ、縦ガイドブロック１４が設けられると共に、該ベース１０の一側面における、両端近傍にそれぞれ横ガイド溝１５が形成される。
【００２２】
前記前カバー２０は、前記ベース１０に設置されるカバー部材２１と、該カバー部材２１に設けられると共に、該前カバー２０をベース１０に設置させるために該係止部１６に係合される係合部２７と、該カバー部材２１とベース１０との間に形成される収容部と、該カバー部材２１に形成される側面開口２３と、該カバー部材２１に設置される透明窓２２と、該カバー部材２１に穿設されると共に、該収容部と連通する装着口２４と、該装着口２４の内周縁の近傍に設けられる複数の第一組立部２５と、該透明窓２２の外周縁に設けられ、夫々が前記第一組立部２５と対応すると共に、該透明窓２２をカバー部材２１に取り付けるための複数の第二組立部２６とを有する。
【００２３】
前記横方向摺動部材３０は、前記収容部に位置し、横方向に沿って、前記側面開口２３から突出するまで移動できると共に、前記透明窓２２の近傍に設置され、該透明窓２２から少なくとも１つの凹入部３１が露出し、該凹入部３１は、化粧品並びにブラシなどを収容するものである。
【００２４】
図５に示すように、横方向摺動部材３０における、ベース１０にの傾斜溝１１の第一端１２の近傍と対応する位置に、縦溝３２が凹設され、該横方向摺動部材３０の移動に従って、該縦溝３２が第一端１２から第二端１３へ移動する。また、おける前記横方向摺動部材３０の前記ベース１０側に、前記ベース１０の横ガイド溝１５に挿入されると共に、横方向に沿って、該横方向摺動部材３０をベース１０に対して移動させる横ガイドブロック３３が設けられる。
【００２５】
前記縦方向摺動蓋４０は、前記横方向摺動部材３０と対応するように前記ベース１０の側面に設置され、該ベース１０に対して縦方向に移動できるものである。また、前記縦方向摺動蓋４０におけるベース１０側に、平行に並列される２つの突出リブ４２が設けられると共に、該２つの突出リブ４２の間に横溝４１が設けられ、該２つの突出リブ４２の中の１つの突出リブ４２の両側に夫々該横溝４１に位置する阻止部４３が設けられる。
【００２６】
更に、前記縦方向摺動蓋４０の両側に、前記縦ガイドブロック１４をはめ込むための縦ガイド溝４５が形成されると共に、の近傍における該縦方向摺動蓋４０における前記ベース１０側の上半部に、該縦方向摺動蓋４０の上方への移動に従って上へ移動し該ベース１０から露出する、鏡を保持するための鏡配置部４４が設けられる。
【００２７】
前記連動部材５０は、移動可能に前記ベース１０に設置され、その両側はそれぞれ、前記横方向摺動部材３０及び縦方向摺動蓋４０に取り付けられる。該連動部材５０は、前記縦方向摺動蓋４０と連動し、横方向摺動部材３０を横方向に沿って移動させることができる。また、該連動部材５０は、該縦方向摺動蓋４０の横溝４１に嵌め込まれる第一ガイド部５２と、該横方向摺動部材３０の縦溝３２に嵌め込まれる第二ガイド部５３とを有する。
【００２８】
図３に示すように、本考案を使用する時、使用者は透明窓２２を通して、横方向摺動部材３０に収容された化粧品を確認することができる。
また、図４及び図６に示すように、使用時に片手で本考案に係る化粧品用容器を持ち、前カバー２０を下方へスライドさせると、連動部材５０の第一ガイド部５２が下方へ褶摺動する前カバー２０を位置決めさせ、傾斜溝１１の第一端１２から該傾斜溝１１の第二端１３へ移動する時、該第一ガイド部５２が同時に、前記縦方向摺動蓋４０の横溝４１に沿って移動する。
【００２９】
また、前記第二ガイド部５３は、前記傾斜溝１１に沿って移動する連動部材５０に従って斜めに移動するが、前記横方向摺動部材３０の縦溝３２においては縦方向に沿って移動しながら、該横方向摺動部材３０を収容部から延出するように移動させるので、使用者は、凹入部３１に収容された化粧品を用いて化粧をすることができる上、鏡配置部４４に取り付けられた鏡により顔を確認しながら化粧をすることができる。
【００３０】
そして使用後は、前記縦方向摺動蓋４０を押し戻して、前記連動部材５０を傾斜溝１１の第一端１２へ移動させれば、横方向摺動部材３０を前記収容部へ閉じることができる。
【産業上の利用可能性】
【００３１】
本考案は上記の構成を有するので、前カバーの透明窓により、使用者は、本考案に係る化粧品用容器を開けなくても、横方向摺動部材の凹入部に収容される化粧品の種類及び色を直接に視認できるので、実用性及び利便性を向上させることができる。
【００３２】
また、前記連動部材と、縦方向摺動蓋と、ベースと、横方向摺動部材とからなる構成によれば、片手で該縦方向摺動蓋を縦方向に沿って移動させて、横方向摺動部材３０を前カバー２０の側面開口２３から突出させ、また、片手で該横方向摺動部材３０を収容部へ戻すことができることから、本考案に係る化粧品用容器は、非常に使い勝手がよい。
【符号の説明】
【００３３】
１０            ベース
１１            傾斜溝
１２            傾斜溝の第一端
１３            傾斜溝の第二端
１４            縦ガイドブロック
１５            横ガイド溝
１６            係止部
２０            前カバー
２１            カバー部材
２２            透明窓
２３            側面開口
２４            装着口
２５            第一組立部
２６            第二組立部
２７            係合部
３０            横方向摺動部材
３１            凹入部
３２            縦溝
３３            横ガイドブロック
４０            縦方向摺動蓋
４１            横溝
４２            突出リブ
４３            阻止部
４４            鏡配置部
４５            縦ガイド溝
５０            連動部材
５２            第一ガイド部
５３            第二ガイド部
【図１】
0003169133.tif 000003
【図２】
0003169133.tif 000004
【図３】
0003169133.tif 000005
【図４】
0003169133.tif 000006
【図５】
0003169133.tif 000007
【図６】
0003169133.tif 000008